(57)【要約】【課題】コンビニエンスストアなどの小規模店舗におけるショーケースの設置工事の省力化、設置スペースの縮小を図る。【解決手段】商品陳列庫６を形成するショーケース本体７と冷却器８とを分離して構成するとともに、店舗建屋の壁２を送風ダクト２ａとして構成し、冷却器８を収納させた壁２にショーケース本体７の背面を連接させ、壁２とショーケース本体７とにより冷気循環通路２５を形成させる。店舗建屋の壁２をダクト化して冷却器８を設置することによりショーケース５の設置スペースを縮小し、またショーケース本体７を冷却器部分と分離することにより、ショーケース本体７の据付と関係なく冷却器８と冷凍機本体２０との間の冷媒配管を施工することができる。【選択図】      図１
2005114216.tif 000002
【特許請求の範囲】
【請求項１】
商品陳列庫を囲む冷気循環通路を備えるとともに、この冷気循環通路内に冷却器が設置され、この冷却器を通して前記冷気循環通路を循環させる庫内空気により、前記商品陳列庫に陳列した商品を冷却する冷蔵・冷凍ショーケースにおいて、
前記商品陳列庫を形成するショーケース本体と前記冷却器とを分離して構成するとともに、店舗建屋の壁を送風ダクトとして構成し、前記冷却器を前記壁に収納し、この壁に前記ショーケース本体の背面を連接させて、前記壁とショーケース本体とにより前記冷気循環通路を形成するようにしたことを特徴とする冷蔵・冷凍ショーケース。
【請求項２】
複数台の前記ショーケース本体に対応する前記冷却器を横並びに連結したことを特徴とする請求項１記載の冷蔵・冷凍ショーケース。
【請求項３】
前記壁をユニットパネルで構成したことを特徴とする請求項１記載の冷蔵・冷凍ショーケース。
【請求項４】
前記冷却器に液冷媒を供給する冷凍機本体を前記冷却器と分離して別置したことを特徴とする請求項１記載の冷蔵・冷凍ショーケース。
【請求項５】
前記冷却器に液冷媒を供給する冷凍機本体を前記冷却器の背面に一体的に結合したことを特徴とする請求項１記載の冷蔵・冷凍ショーケース。
【請求項６】
前記壁に窓穴を設け、この窓穴に前記冷却器を挿脱可能に挿入したことを特徴とする請求項５記載の冷蔵・冷凍ショーケース。
【請求項７】
前記壁に接する店舗建屋の天井及び床を送風ダクトとして構成したことを特徴とする請求項１記載の冷蔵・冷凍ショーケース。
【請求項８】
前記天井及び床をユニットパネルで構成したことを特徴とする請求項７記載の冷蔵・冷凍ショーケース。
【発明の詳細な説明】
【技術分野】
【０００１】
この発明は、コンビニエンスストアなどの店舗に適した冷蔵・冷凍ショーケースに関する。
【背景技術】
【０００２】
コンビニエンスストアなどの小規模店舗の建屋には、低コスト化、工期の短縮、資材再利用の容易化等を目的としてパネル工法が導入されている。これは店舗建屋を建築するための壁材や屋根材をパネル化して工場生産し、現地ではこれらをボルト等で締結して組み上げるようにしたものである。このような工法によれば、部材が標準化されるとともに現場施工が極力省かれて低コスト化、工期の短縮が可能になるとともに、ボルト等の取り外しで容易に分解できるため、移築やリサイクルによる資源の再利用が可能になる。このパネル工法については、例えば特許文献１に記載されている。
【特許文献１】特開２００２−２２０８７７号公報
【発明の開示】
【発明が解決しようとする課題】
【０００３】
上記したように、建屋自体については従来から低コスト化や省力化の努力が払われているが、冷蔵・冷凍ショーケース（以下、単に「ショーケース」という。）や空調機などの店舗設備の建屋への組み込みや配管、配線などの工事については在来から変っていない。すなわち、建屋が完成した後、各種の設備を搬入、据付し、ダクト工事、配線工事、配管工事等を建屋に対して個別に施工している。これらの在来工事は建屋部材の工場生産化に比べて合理化が立ち遅れており、工事内容が煩雑で工期が長く、また建屋内でのスペースの無駄が多い。
【０００４】
例えば、コンビニエンスストアのショーケースについては、従来は図８に示すものが一般的である。図８において、店舗建屋４０の壁に沿って設置されるショーケース（図示はオープンショーケース）４１は、商品陳列庫４２を囲む冷気循環通路４３を備え、この冷気循環通路４３内に冷却器（蒸発器）４４が設置されている。庫内空気は送風機４５の運転により、冷却器４４を通して矢印で示すように冷気循環通路４３を循環し、ショーケース前面開口にエアカーテンを形成する。この循環冷気により、商品陳列庫４２の棚４６上に陳列された図示しない商品が冷却される。
【０００５】
冷却器４４に液冷媒を供給する冷凍機本体４７は圧縮機４８、凝縮器４９、送風機５０等からなり、屋外に設置された冷凍機本体４７と冷却器４４との間は冷媒配管５１で結ばれている。圧縮機４８から吐出された高温高圧のガス冷媒は凝縮器４９に送られ、送風機５０により通風される外気と熱交換して凝縮する。生じた液冷媒は冷却器４４に送られ、循環する庫内空気との熱交換で蒸発して循環空気を冷却する。
【０００６】
このような従来のショーケースは、店舗建屋と別個に構成され互いに関連性がないことから、上記した工事内容の煩雑さや設備スペースの無駄を生じている。
【０００７】
この発明は、店舗用のとりわけショーケースについて建屋との一体化を進め、工事の省力化や設備の省スペース化を図ることを課題とするものである。
【課題を解決するための手段】
【０００８】
上記課題を解決するために、この発明は、商品陳列庫を囲む冷気循環通路を備えるとともに、この冷気循環通路内に冷却器が設置され、この冷却器を通して前記冷気循環通路を循環させる庫内空気により、前記商品陳列庫に陳列した商品を冷却する冷蔵・冷凍ショーケースにおいて、前記商品陳列庫を形成するショーケース本体と前記冷却器とを分離して構成するとともに、店舗建屋の壁を送風ダクトとして構成し、前記冷却器を前記壁に収納し、この壁に前記ショーケース本体の背面を連接させて、前記壁とショーケース本体とにより前記冷気循環通路を形成するようにするものである（請求項１）。
【０００９】
請求項１の発明は店舗建屋の壁をダクト化して壁内部に冷却器を設置し、この壁内部を循環通風路の一部として利用するもので、これにより店舗床面のショーケースの設置スペースを縮小することができる。また、商品陳列庫を形成するショーケース本体を冷却器部分と分離することにより、ショーケース本体の据付前に冷媒配管が施工できるので配管工事が容易になる。また、ショーケース本体は冷媒配管と関係なく移動できるので、冷却器の保守点検が容易になり、更に仕様変更によるショーケース本体の改造や交換が簡単になる。
【００１０】
請求項１の発明において、複数台の前記ショーケース本体に対応する前記冷却器は横並びに連結するのがよい（請求項２）。これにより、各冷却器に対して冷媒配管を個別に接続する必要がなく、配管構成が簡単になる。複数台の冷却器は別々に構成した後、配管同士を連結してもよいし、全体を一体に構成してもよい。
【００１１】
請求項１の発明において、前記壁はユニットパネルで構成するのがよい（請求項２）。これにより、パネルの工場生産段階でモジュール化した冷却器をパネル内に組み込み、現地での組立工数を省くことができる（請求項３）。
【００１２】
請求項１の発明において、前記冷却器に液冷媒を供給する冷凍機本体は、前記冷却器と分離して別置し（請求項４）、あるいは前記冷却器の背面に一体的に結合することができる（請求項５）。請求項５の発明においては、前記店舗建屋の壁に窓穴を設け、この窓穴に前記冷却器を挿脱可能に挿入するのがよい（請求項６）。これにより、冷凍機の冷却器部分を窓穴に挿入するだけで、冷却器を容易に店舗建屋の壁に収納することができる。
【００１３】
請求項１の発明において、前記壁に接する店舗建屋の天井及び床は送風ダクトとして構成するのがよい（請求項７）。これにより、空調機により循環させる室内空気を店舗建屋の壁、天井及び床の内部に通すなど、一層の省スペース化を図ることが可能になる。請求項６の発明において、前記天井及び床はユニットパネルで構成し、工場生産化率を高めるようにするのがよい（請求項８）。
【発明の効果】
【００１４】
この発明によれば、店舗建屋の壁をダクト化して冷却器を収納し、この壁にショーケース本体を連接する構成とすることにより、壁の内部空間を有効利用してショーケース設置スペースを縮小することができ、また冷媒配管をショーケース本体から切り離せるので、冷媒配管の配管工事や保守点検が簡単になる。更に、ショーケース本体を冷媒配管と関係なく移動できるので、ショーケース本体の仕様変更に伴う改造や交換に容易に対応することができる。
【発明を実施するための最良の形態】
【００１５】
以下、図１〜図７に基づいて、この発明の実施の形態を説明する。
【実施例１】
【００１６】
図１〜図５はこの発明の実施例１を示し、図１は店舗建屋の一部縦断面図、図２は図１の要部右正面図、図３は図２の平面図、図４は図１の要部分解斜視図、図５は図１におけるショーケース本体の拡大縦断面図である。まず、図１において、店舗建屋１は予め定尺に工場生産された長方形のユニットパネル２〜４、つまり壁パネル２、天井パネル３、床パネル４から、ボルト締めにより組み立てられている。各ユニットパネル２，３，４はダクト化されており、内部はそれぞれ送風ダクト２ａ，３ａ，４ａとして中空に構成されている。ここで、店舗建屋１内にはショーケース５が設置されているが、このショーケース５は商品陳列庫６を形成するショーケース本体７と冷却器８とが分離された構成となっており、冷却器８は壁パネル２内に収納され、ショーケース本体７は背面が壁パネル２に連接するように設置されている。
【００１７】
冷却器８は送風機９とともに冷却器モジュール１０として壁パネル２と略同幅にユニット化され、壁パネル２の工場生産時に送風ダクト２ａに組み込まれている。図２に示すように、プレートフィンチューブ式の冷却器８には水平に貫通する上下一対の主配管１４及び１５が設けられ、プレートフィンを蛇行するチューブは主配管１４，１５間に、電磁弁１６、膨張弁１７を介して接続されている。主配管１４，１５の両端にはワンタッチで脱着可能な雌雄の継手１８及び１９がそれぞれ取り付けられている。図４に示すように、冷却器モジュール１０の外郭ケース１１の前面上下には、冷却器８を通流する循環空気の吹出口１２及び吸込口１３があけられている。
【００１８】
図２及び図３に示すように、冷却器８の主配管１４，１５は、店舗建屋１の組み立て時に隣接する壁パネル２間で継手１８，１９を介して連結され、その終端は互いに結ばれるとともに始端は冷凍機本体２０に接続される。冷凍機本体２０は冷却器８に液冷媒を供給するコンデンシングユニットで、図２に示すように、ガス冷媒を圧縮する圧縮機２１、圧縮機２１から吐出された高温高圧のガス冷媒を凝縮させる凝縮器２２、凝縮器２２に外気を通流させる送風機２３等からなっている。図２の連結状態において、各壁パネル２の冷却器８は互いに連結されて横長一体の大型冷却器を形成し、各冷却器８は主配管１４，１５間に互いに並列の関係で接続されている。
【００１９】
一方、図５において、ショーケース本体７は従来一般のショーケースにおける断面Ｃ字形の断熱壁からその背壁を省いた構造で、断熱壁内において商品陳列庫６を区画するパネル２４の背壁２４ａが背面に露出している。しかして、商品陳列庫６を囲む冷気循環通路２５（図１）の一部を形成するパネル２４の上方空間２５ａ及び下方空間２５ｂは背面に開口しており、これらの開口２６及び２７はショーケース本体７の背面が壁パネル２に連接された状態において、冷却器モジュール１０の吹出口１２及び吸込口１３（図４）にそれぞれ対面するように設定されている。これにより、ショーケース５の冷気循環通路２５は、壁パネル２の送風ダクト２ａとショーケース本体７の上方空間２５ａ、前面開口（エアカーテン通路）及び下方空間２５ｂとにより形成される。
【００２０】
そこで、図３に示すように、互いに隣接する複数枚の壁パネル２にそれぞれ収納された冷却器８と対をなすように、壁パネル２と略同幅の複数台のショーケース本体７が、その背面が壁パネル２に連接するように配列され、各ショーケース５を構成する。このようなショーケース５において、送風機９の運転により冷却器８を通して上記した冷気循環通路２５を庫内空気が循環し、商品陳列庫６に陳列された図示しない商品が冷却される。
【００２１】
図示実施例１によれば、壁パネル２内に冷却器８を設置し、壁内部２ａを循環通風路２５の一部として利用することにより、ショーケース５の店舗内設置スペースが縮小する。その場合、ユニットパネル化した壁内には、壁パネル２の工場生産段階で冷却器モジュール１０を同時に組み込み、現地組立を大幅に省くことができる。一方、ショーケース本体７を冷却器８と分離することにより、ショーケース本体７の据付前に冷却器８と冷凍機本体２０との間の冷媒配管が施工できるので配管工事が容易になる。また、ショーケース本体７は冷媒配管と関係なく移動でき、冷却器の保守点検、仕様変更によるショーケース５の改造や交換、ショーケース本体７の増減等が簡単に行える。
【００２２】
更に、複数台のショーケース本体７に対応する冷却器８を主配管１４，１５を介して横並びに連結することにより、各冷却器８と冷凍機本体２０との間の冷媒配管を個別に接続する必要がなく配管構成が簡単になる。複数台の冷却器８は全体を横長一体に構成してもよい。
【００２３】
更にまた、壁パネル２に接する天井及び床もパネル化して送風ダクトとして構成することにより、図示しない空調機により循環させる室内空気を店舗建屋の壁パネル２、天井パネル３及び床パネル４の内部に通し、別途のダクト工事を省いて一層の省スペース化を図ることができる。その場合、図１に示すように、天井パネル３には空気吹出口２８を形成し、床パネル４には空気吸込口２９を形成する。
【実施例２】
【００２４】
図６は、この発明の実施例２を示す店舗建屋の縦断面図、図７は図６の要部平面図である。実施例１では冷凍機本体２０は冷却器８と別置されているが、実施例２は冷却器８と冷凍機本体２０とを一体に構成したものである。すなわち、図６及び図７において、冷却器８の背面に冷凍機本体２０が結合され、一体的な冷凍機３０が構成されている。一方、店舗建屋の壁パネル２には工場生産段階で窓穴３１があけられ、この窓穴３１に冷凍機３０の冷却器部分が挿脱可能に挿入されている。その他の構成は実施例１と実質的に同じである。実施例２によれば、冷凍機３０の冷却器部分を窓穴３１に挿入するだけで、冷却器８を容易に店舗建屋の壁に収納することができ、現地での冷媒配管工事が不要になる。
【図面の簡単な説明】
【００２５】
【図１】この発明の実施例１を示す店舗建屋の要部縦断面図である。
【図２】図１の要部右正面図である。
【図３】図２の平面図である。
【図４】図１の要部分解斜視図である。
【図５】図１におけるショーケース本体の拡大図である。
【図６】この発明の実施例２を示す店舗建屋の要部縦断面図である。
【図７】図６の平面図である。
【図８】従来例を示す店舗建屋の縦断面図である。
【符号の説明】
【００２６】
１    店舗建屋
２    壁パネル
３    天井パネル
４    床パネル
５    ショーケース
６    商品陳列庫
７    ショーケース本体
８    冷却器
９    送風機
１０    冷却器モジュール
１２    吹出口
１３    吸込口
１４    主配管
１５    主配管
２０    冷凍機本体
２１    圧縮機
２２    凝縮器
２３    送風機
２５    冷気循環通路
３０    冷凍機
３１    窓穴
【図１】
2005114216.tif 000003
【図２】
2005114216.tif 000004
【図３】
2005114216.tif 000005
【図４】
2005114216.tif 000006
【図５】
2005114216.tif 000007
【図６】
2005114216.tif 000008
【図７】
2005114216.tif 000009
【図８】
2005114216.tif 000010